(57)【要約】  無線通信システム（１００）は、一つの態様において、自システム専用の第１帯域と、自システムと他の無線通信システムとが共用する第２帯域とを、前記第１帯域のサブフレームに同期させて無線通信を行う。また、無線通信システム（１００）は、前記第２帯域の空き状態を検出した場合は、サブフレーム期間の途中でも、前記第２帯域でサブフレーム長のデータ信号の送信を開始し、後のサブフレーム境界で、前記データ信号を復号するための制御情報とともに、前記データ信号の送信を開始したタイミングを示すタイミング情報を前記第１帯域で送信する基地局装置（１１０）を有する。また、無線通信システム（１００）は、前記第２帯域で送信されたデータ信号を保持し、前記第１帯域で送信された前記タイミング情報と前記制御情報とを用いて、前記保持したデータ信号からデータを復号する端末装置を有する。
2016071979.tif 000002
【特許請求の範囲】
【請求項１】
自システム専用の第１帯域と、自システムと他の無線通信システムとが共用する第２帯域とを用いて、無線通信を行う無線通信システムであって、
前記第２帯域の空き状態を検出した場合は、サブフレーム期間の途中でも、前記第２帯域でサブフレーム長のデータ信号の送信を開始し、後のサブフレーム境界で、前記データ信号を復号するための制御情報とともに、前記データ信号の送信を開始したタイミングを示すタイミング情報を前記第１帯域で送信する基地局装置と、
前記第２帯域で送信されたデータ信号を保持し、前記第１帯域で送信された前記タイミング情報と前記制御情報とを用いて、前記保持したデータ信号からデータを復号する端末装置と、
を有することを特徴とする無線通信システム。
【請求項２】
前記基地局装置は、前記データ信号の送信を開始したサブフレーム期間の次のサブフレーム期間で送信される前記制御情報とともに、前記タイミング情報を送信することを特徴とする請求項１に記載の無線通信システム。
【請求項３】
前記サブフレーム期間は、複数のシンボル期間を含み、
前記基地局装置は、前記シンボル期間の途中で前記第２帯域の空き状態を検出した場合は、次の前記シンボル期間が開始するまでの間、ダミー信号を送信することを特徴とする請求項１または２に記載の無線通信システム。
【請求項４】
前記基地局装置は、複数の前記データ信号を継続して送信する場合は、いずれかのデータ信号を送信した後で、次のサブフレーム期間が開始するまでに送信が終了するデータ長のデータ信号を出力することを特徴とする請求項３に記載の無線通信システム。
【請求項５】
前記基地局装置は、サブフレームの開始とともに前記データ信号を送信した場合は、当該データ信号の送信を開始したタイミングを示すタイミング情報の送信を省略することを特徴とする請求項４に記載の無線通信システム。
【請求項６】
自システム専用の第１帯域と、自システムと他の無線通信システムとが共用する第２帯域とを用いて、無線通信を行う無線通信システムの基地局装置であって、
前記第２帯域の空き状態を検出した場合は、サブフレーム期間の途中でも、前記第２帯域でサブフレーム長のデータ信号の送信を開始する第１の送信部と、
前記データ信号の送信後のサブフレーム境界で、前記データを復号するための制御情報とともに、前記データ信号の送信を開始したタイミングを示すタイミング情報を前記第１帯域で送信する第２の送信部と
を有することを特徴とする基地局装置。
【請求項７】
前記第２の送信部は、前記データ信号の送信を開始したサブフレーム期間の次のサブフレーム期間で送信される前記制御情報とともに、前記タイミング情報を送信することを特徴とする請求項６に記載の基地局装置。
【請求項８】
前記サブフレーム期間は、複数のシンボル期間を含み、
前記第１の送信部は、前記シンボル期間の途中で前記第２帯域の空き状態を検出した場合は、次の前記シンボル期間が開始するまでの間、ダミー信号を送信することを特徴とする請求項６または７に記載の基地局装置。
【請求項９】
前記第１の送信部は、複数の前記データ信号を継続して送信する場合は、いずれかのデータ信号を送信した後で、次のサブフレーム期間が開始するまでに送信が終了するデータ長のデータ信号を出力することを特徴とする請求項８に記載の基地局装置。
【請求項１０】
前記第２の送信部は、前記第１の送信部がサブフレーム期間の開始とともに前記データ信号を送信した場合は、当該データ信号の送信を開始したタイミングを示すタイミング情報の送信を省略することを特徴とする請求項９に記載の基地局装置。
【請求項１１】
自システム専用の第１帯域と、自システムと他の無線通信システムとが共用する第２帯域とを、用いて、無線通信を行う無線通信システムの端末装置であって、
前記第２帯域の空き状態を検出した場合にサブフレーム期間の途中でも前記第２帯域でデータ信号の送信を開始する基地局装置から受信したデータ信号を、少なくとも前記サブフレーム期間分保持する保持部と、
前記データを復号するための制御情報と、前記データ信号の送信を開始したタイミングを示すタイミング情報とを前記第１帯域で受信する受信部と、
前記基地局装置が前記データ信号を送信した後で前記受信部が受信した制御情報と前記タイミング情報とを用いて、前記保持部が保持したデータ信号からデータを復号する復号部と
を有することを特徴とする端末装置。  
【発明の詳細な説明】
【技術分野】
【０００１】
本発明は、無線通信システム、基地局装置および端末装置に関する。
【背景技術】
【０００２】
近年、携帯電話システム等の無線通信システムにおいて、無線通信の更なる高速化や大容量化等を図るため、次世代の無線通信技術について議論が行われている。例えば、ＬＴＥ（Long  Term  Evolution）と呼ばれる通信規格において、免許を要する周波数帯の搬送波（LC：Licensed  Band  Carrier）と、免許が不要な周波数帯の搬送波（UC：Unlicensed  Band  Carrier）とを用いて通信を行う技術が検討されている。【０００３】
ここで、ＬＴＥシステムの基地局装置は、所定のサブフレームタイミングと同期してデータ通信を行うため、空チャネルを検出してからデータ通信を開始するまでの間に隙間時間を生じさせる場合がある。一方で、他の基地局装置やアクセスポイントは、かかるサブフレームタイミングとは無関係にデータ通信を行う。このため、基地局装置は、隙間時間の間に、検出した空チャネルが他の基地局装置やアクセスポイントにより使用される結果、データ通信を開始できない場合がある。そこで、隙間時間の間、ダミー信号を送信することで、空チャネルを確保する技術が提案されている。
【先行技術文献】
【特許文献】
【０００４】
【特許文献１】米国特許出願公開第２０１４／００３６８５３号明細書
【発明の概要】
【発明が解決しようとする課題】
【０００５】
しかしながら、上述した従来技術では、隙間時間の間、データ通信を行わずにダミー信号を送信するので、スループットが低下する場合がある。【０００６】
１つの側面では、本発明は、スループットの低下を改善できる無線通信システム、基地局装置および端末装置を提供することを目的とする。
【課題を解決するための手段】
【０００７】
本願の開示する無線通信システムは、一つの態様において、自システム専用の第１帯域と、自システムと他の無線通信システムとが共用する第２帯域とを、前記第１帯域のサブフレームに同期させて無線通信を行う。また、無線通信システムは、前記第２帯域の空き状態を検出した場合は、サブフレーム期間の途中でも、前記第２帯域でサブフレーム長のデータ信号の送信を開始し、後のサブフレーム境界で、前記データ信号を復号するための制御情報とともに、前記データ信号の送信を開始したタイミングを示すタイミング情報を前記第１帯域で送信する基地局装置を有する。また、無線通信システムは、前記第２帯域で送信されたデータ信号を保持し、前記第１帯域で送信された前記タイミング情報と前記制御情報とを用いて、前記保持したデータ信号からデータを復号する端末装置を有する。
【発明の効果】
【０００８】
本発明の一側面によれば、スループットの低下を改善できるという効果を奏する。
【図面の簡単な説明】
【０００９】
【図１】図１は、実施例１にかかる無線通信システムの一例を示す図である。
【図２】図２は、実施例１にかかる基地局装置の機能構成の一例を示す図である。
【図３】図３は、実施例１にかかる端末装置の機能構成の一例を示す図である。
【図４】図４は、実施例１に係る基地局装置がＵＣでデータ信号を送信する動作の一例を示す図である。
【図５】図５は、実施例１に係る基地局装置がダミー信号を出力する処理の一例を説明する図である。
【図６】図６は、実施例１に係る無線通信システムが実行する処理の流れの一例を説明するフローチャートである。
【図７】図７は、実施例２に係る無線通信システムが実行する下りリンク送信の一例を示す図である。
【図８】図８は、実施例３に係る基地局装置がＵＣでデータ信号を送信する動作の一例を示す図である。
【図９】図９は、実施例３に係る無線通信システムが実行する処理の流れの一例を説明するフローチャートである。
【図１０】図１０は、ｅＮＢのハードウェア構成の一例を示す図である。
【発明を実施するための形態】
【００１０】
以下に図面を参照して、本発明にかかる無線通信システム、基地局装置および端末装置の実施の形態を詳細に説明する。なお、以下の実施例により本願の開示する無線通信システム、基地局装置および端末装置の実施の形態が限定されるものではない。
【実施例１】
【００１１】
［無線通信システムの一例］
図１は、実施例１にかかる無線通信システムの一例を示す図である。図１に示すように、実施例１にかかる無線通信システム１００は、基地局装置１１０Ａ、基地局装置１１０Ｂと、アクセスポイント１２０と、端末装置１０１と、を含む。セル１１１Ａは、基地局装置１１０Ａが形成するセルである。セル１１１Ｂは、基地局装置１１０Ｂが形成するセルである。端末装置１０１は、セル１１１Ａに在圏しており、基地局装置１１０Ａとの間で無線通信を行う。【００１２】
基地局装置１１０Ａおよび端末装置１０１は、一例としてはＬＴＥの無線通信を行う。この場合に、基地局装置１１０Ａは、一例としてはＬＴＥのｅＮＢ（evolved  Node  B）である。端末装置１０１は、一例としてはＬＴＥのＵＥ（User  Equipment：ユーザ端末）である。なお、以下の説明では、基地局装置１１０Ａと端末装置１０１とをＬＴＥシステムと記載する場合がある。【００１３】
また、基地局装置１１０Ａおよび端末装置１０１は、自システムの専用の第１帯域と、自システムと他の無線通信システムとの共用の第２帯域と、を用いて互いに無線通信を行う。第１帯域は、例えば、２ギガヘルツ帯のＬＣ（Licensed  band  Carrier：ライセンスドバンドキャリア：免許帯域の搬送波）である。第２帯域は、例えば、５ギガヘルツ帯のＵＣ（Unlicensed  band  Carrier：アンライセンスドバンドキャリア：免許不要帯域の搬送波）である。【００１４】
なお、第２帯域は、一例としては無線ＬＡＮ（Local  Area  Network：構内通信網）システムにおいても使用される帯域である。また、第２帯域は、例えば無線通信システム１００とは異なる他の（他業者の）ＬＴＥシステムなどと共用する帯域であってもよい。【００１５】
例えば、無線通信システム１００においては、第１帯域がＰＣＣ（Primary  Component  Carrier：プライマリコンポーネントキャリア）に用いられ、第２帯域がＳＣＣ（Secondary  Component  Carrier：セカンダリコンポーネントキャリア）に用いられる。【００１６】
アクセスポイント１２０は、セル１１１Ａに在圏しており、端末装置１０１との間で無線通信を行うルータである。例えば、アクセスポイント１２０は、Ｗｉ−Ｆｉ（登録商標）等、第２帯域を用いて端末装置１０１との通信を行う。【００１７】
基地局装置１１０Ｂは、基地局装置１１０Ａとは異なるオペレータにより提供される基地局であり、例えば、基地局装置１１０Ａと同様に、端末装置１０１とＬＣおよびＵＣを用いて互いに無線通信を行う。なお、以下の説明では、基地局装置１１０Ａと基地局装置１１０Ｂとは、同様の機能を発揮するものとし、各基地局装置１１０Ａ、１１０Ｂを基地局装置１１０と記載する。【００１８】
基地局装置１１０は、ＬＴＥシステムのデータチャネルでデータ送信を行う場合、第１帯域と第２帯域とを用いて、データを送信する。なお、ＬＴＥシステムにおけるデータチャネルとは、例えば、ＰＤＳＣＨ（Physical  Downlink  Shared  Channel：物理下りリンク共有チャネル）である。また、他の例では、ＬＴＥシステムにおけるデータチャネルとは、ＰＵＳＣＨ（Physical  Uplink  Shared  Channel：物理上りリンク共有チャネル）である。【００１９】
また、基地局装置１１０は、サブフレーム期間と同期してデータを送信する。例えば、基地局装置１１０は、サブフレーム期間の先頭となるサブフレームタイミングでデータ信号の送信を開始する。かかる場合、端末装置１０１は、基地局装置１１０との間でデータ通信を行う場合は、受信したデータ信号を基地局装置１１０のサブフレームタイミングに従って復号することで、データを取得する。【００２０】
なお、以下の説明では、サブフレームタイミングから次のサブフレームタイミングまでの期間をサブフレーム期間と記載する。また、１つのサブフレーム期間は、０番目から１３番目までのシンボル期間を有する。また、基地局装置１１０および端末装置１０１がデータ通信を行うために同期する時間間隔は、他の名称であってもよい。【００２１】
以下、基地局装置１１０が実行する処理の一例を説明する。例えば、基地局装置１１０は、キャリアセンス（CS：Carrier  Sense）を行い、ＵＣの空きリソースを検出する。具体的には、基地局装置１１０は、ビジー状態のチャネルが空いた場合は、ＤＩＦＳ（Distributed  coordination  function  Interframe  Space）と、ランダムなＢａｃｋｏｆｆ期間とが経過するまでの間待機する。そして、基地局装置１１０は、ＤＩＦＳとＢａｃｋｏｆｆ期間とが経過した時点で、空いたチャネルが使用されなかった場合は、かかるチャネルを空きリソースとして検出する。【００２２】
続いて、基地局装置１１０は、基地局装置１１０からＤＬ（Down  Link：下りリンク）送信を行うことを示すＤＬアサイメント（DL  assignment）をＬＣで送信する。かかるＤＬアサイメントは、ＵＣで出力したデータ信号を復号するための制御情報として、ＰＲＢ（Physical  Resource  Block）の位置等の周波数スケジューリングの情報、チャネル符号化、ＡＭＣ（Adaptive  Modulation  and  Coding）等の制御情報が格納される。そして、ＤＬアサイメントは、サブフレームの先頭から最大３シンボルの期間のＰＤＣＣＨ（Physical  Downlink  Control  Channel）、またはサブフレームの任意の場所に設定されるＥＰＤＣＣＨ（Enhanced  Physical  Downlink  Control  Channel）を用いて送信される。【００２３】
また、基地局装置１１０は、データ長がサブフレーム期間と同じ長さのデータ信号を生成し、サブフレームタイミングと同期して、生成したデータ信号をＵＣで出力する。なお、ＤＬアサイメントは、例えば、ＤＬアサイン（DL  assign）またはＤＬグラント（DL  grant）とも呼ばれ、サブフレームの先頭３シンボル内のＰＤＣＣＨ、またはサブフレームの任意の場所に設定されるＥＰＤＣＣＨを用いて送信される情報である。【００２４】
ここで、ＵＣは、基地局装置１１０Ａだけではなく、基地局装置１１０Ａとは異なるサブフレームタイミングに同期した基地局装置１１０Ｂやアクセスポイント１２０によっても利用される。このため、基地局装置１１０Ａは、ビジー状態のチャネルが空いてから次のサブフレームタイミングまでの間に、空いたチャネルを基地局装置１１０Ｂやアクセスポイント１２０に横取りされる場合がある。しかしながら、基地局装置１１０Ａは、チャネルが空いてからサブフレームタイミングまでの間、空いたチャネルを確保するためのダミー信号を送信した場合は、データを送信できず、スループットを低下させる。【００２５】
そこで、基地局装置１１０は、ＵＣのリソースの空き状態を検出した場合、すなわち、ＵＣが空いてからＤＩＦＳとＢａｃｋｏｆｆ期間とが経過してもＵＣが空いていた場合は、サブフレーム期間の途中でも、ＵＣでデータ信号の送信を開始する。また、基地局装置１１０は、ＵＣでデータ信号の送信を開始したタイミングを示すタイミング情報を生成する。例えば、基地局装置１１０は、ＵＣでデータ信号の送信を開始したシンボルの番号が格納されたタイミング情報を生成する。そして、基地局装置１１０は、データ信号を復号するための制御情報とともに、タイミング情報をＬＣで送信する。【００２６】
例えば、基地局装置１１０は、ＵＣの空きリソースを検出した場合は、ＵＣでデータ信号をすぐに送信する。また、基地局装置１１０は、ＵＣでデータ信号を送信したシンボルを示すタイミング情報を生成する。そして、基地局装置１１０は、ＵＣでデータ信号を送信したサブフレーム期間の次のサブフレーム期間で、ＤＬアサイメントとともにタイミング情報をＬＣで送信する。【００２７】
ここで、データ信号の送信先となる端末装置１０１は、基地局装置１１０がサブフレームタイミングと同期せずにＵＣでデータ信号を送信した場合は、データ信号の先頭位置が不明なので、データ信号を正しく復号できない。しかしながら、本実施例の基地局装置１１０は、ＵＣでデータ信号の送信を開始したタイミングを示すタイミング情報を送信する。【００２８】
そこで、端末装置１０１は、ＵＣで受信したデータ信号を所定のバッファに保持する。また、端末装置１０１は、基地局装置１１０がＵＣでデータ信号を送信したサブフレーム期間の次のサブフレーム期間で受信したタイミング情報から、データ信号の先頭位置を特定し、制御情報を用いて、データ信号の復調およびデータの復号を行う。【００２９】
このように、基地局装置１１０は、ＵＣが空いた場合は、サブフレームタイミングとは関係なくＵＣでデータ信号を送信する。そして、基地局装置１１０は、ＵＣでデータ信号を送信したタイミングを示すタイミング情報を、ＤＬアサイメントとともにＬＣで送信する。一方、端末装置１０１は、ＵＣで受信したデータ信号をバッファに保持し、ＬＣで受信したタイミング情報とＤＬアサイメントとを用いて、データ信号を復号する。このため、無線通信システム１００は、ＵＣの空きチャネルが検出されてから次のサブフレームタイミングまでの間、データ通信を行うことができるので、スループットを向上させることができる。【００３０】
［基地局装置の構成例］
次に、図２を用いて、基地局装置の一例を説明する。図２は、実施例１にかかる基地局装置の機能構成の一例を示す図である。実施例１にかかる基地局装置１１０は、例えば図２に示す基地局装置１１０により実現することができる。【００３１】
図２に示す基地局装置１１０は、アンテナ５０１、５０２と、ライセンスドバンド受信部５０３と、アンライセンスドバンド受信部５０８と、ＭＡＣ（Media  Access  Control）・ＲＬＣ（Radio  Link  Control）処理部５１３と、を有する。また、基地局装置１１０は、無線リソース制御部（ＲＲＣ）５１４と、キャリアセンス部５１５と、ＭＡＣ制御部５１６と、パケット生成部５１７と、ＭＡＣスケジューリング部５１８と、を有する。また、基地局装置１１０は、ライセンスドバンド送信部５１９と、アンライセンスドバンド送信部５２５と、アンテナ５３１、５３２と、を有する。【００３２】
アンテナ５０１、５０２のそれぞれは、他の無線通信装置から無線送信された信号を受信する。そして、アンテナ５０１、５０２は、受信した信号をそれぞれライセンスドバンド受信部５０３およびアンライセンスドバンド受信部５０８へ出力する。なお、基地局装置１１０は、アンテナ５０１、５０２の機能をまとめた１つのアンテナを有してもよい。【００３３】
ライセンスドバンド受信部５０３は、ライセンスドバンド（ＬＣ）の受信処理を行う。例えば、ライセンスドバンド受信部５０３は、無線処理部５０４と、ＦＦＴ処理部５０５と、復調部５０６と、復号部５０７と、を有する。【００３４】
無線処理部５０４は、アンテナ５０１から出力された信号の無線処理を行う。無線処理部５０４の無線処理には、例えば高周波帯からベースバンド帯への周波数変換が含まれる。無線処理部５０４は、無線処理を行った信号をＦＦＴ処理部５０５へ出力する。【００３５】
ＦＦＴ処理部５０５は、無線処理部５０４から出力された信号のＦＦＴ（Fast  Fourier  Transform：高速フーリエ変換）処理を行う。これにより、信号が時間領域から周波数領域に変換される。ＦＦＴ処理部５０５は、ＦＦＴ処理を行った信号を復調部５０６へ出力する。【００３６】
復調部５０６は、ＦＦＴ処理部５０５から出力された信号を復調する。そして、復調部５０６は、復調により得られた信号を復号部５０７へ出力する。復号部５０７は、復調部５０６から出力された信号を復号する。そして、復号部５０７は、復号により得られたデータをＭＡＣ・ＲＬＣ処理部５１３へ出力する。【００３７】
アンライセンスドバンド受信部５０８は、アンライセンスドバンドの受信処理を行う。例えば、アンライセンスドバンド受信部５０８は、無線処理部５０９と、ＦＦＴ処理部５１０と、復調部５１１と、復号部５１２と、を有する。【００３８】
無線処理部５０９は、アンテナ５０２から出力された信号の無線処理を行う。無線処理部５０９の無線処理には、例えば高周波帯からベースバンド帯への周波数変換が含まれる。無線処理部５０９は、無線処理を行った信号をＦＦＴ処理部５１０へ出力する。【００３９】
ＦＦＴ処理部５１０は、無線処理部５０９から出力された信号のＦＦＴ処理を行う。これにより、信号が時間領域から周波数領域に変換される。ＦＦＴ処理部５１０は、ＦＦＴ処理を行った信号を復調部５１１およびキャリアセンス部５１５へ出力する。【００４０】
復調部５１１は、ＦＦＴ処理部５１０から出力された信号を復調する。そして、復調部５１１は、復調により得られた信号を復号部５１２へ出力する。復号部５１２は、復調部５１１から出力された信号を復号する。そして、復号部５１２は、復号により得られたデータをＭＡＣ・ＲＬＣ処理部５１３へ出力する。【００４１】
ＭＡＣ・ＲＬＣ処理部５１３は、復号部５０７から出力されたデータに基づくＭＡＣ層およびＲＬＣ層の各処理を行う。ＭＡＣ・ＲＬＣ処理部５１３は、各層の処理によって得られたデータを出力する。ＭＡＣ・ＲＬＣ処理部５１３から出力された信号は、例えば基地局装置１１０の上位層の処理部へ入力される。また、ＭＡＣ・ＲＬＣ処理部５１３は、各層の処理によって得られたデータに含まれるＲＴＳ信号検出結果などの制御情報を無線リソース制御部５１４へ出力する。【００４２】
無線リソース制御部５１４は、ＭＡＣ・ＲＬＣ処理部５１３から出力された制御情報に基づく無線リソース制御を行う。この無線リソース制御はＲＲＣ（Ｒａｄｉｏ  Ｒｅｓｏｕｒｃｅ  Ｃｏｎｔｒｏｌ：無線リソース制御）層の処理である。無線リソース制御部５１４は、無線リソース制御に基づく制御情報をＭＡＣ制御部５１６へ出力する。【００４３】
キャリアセンス部５１５は、ＦＦＴ処理部５１０から出力されたアンライセンスドバンド（ＵＣ）の信号に基づくキャリアセンスを行う。そして、キャリアセンス部５１５は、キャリアセンスの結果を示すキャリアセンス結果情報をＭＡＣ制御部５１６へ出力する。【００４４】
ＭＡＣ制御部５１６は、無線リソース制御部５１４から出力された制御情報と、キャリアセンス部５１５から出力されたキャリアセンス結果情報と、に基づくＭＡＣ層の制御を行う。そして、ＭＡＣ制御部５１６は、ＭＡＣ層の制御に基づく端末装置１０１への個別制御情報やＲＴＳ信号を多重部５２２へ出力する。個別制御情報は、例えばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）である。【００４５】
また、ＭＡＣ制御部５１６は、ＭＡＣ層の制御に基づくＤＭＲＳ（Ｄａｔａ  Ｄｅｍｏｄｕｌａｔｉｏｎ  Ｒｅｆｅｒｅｎｃｅ  Ｓｉｇｎａｌ：復調参照信号）、ダミー信号、ＲＴＳ信号などを多重部５２８へ出力する。また、ＭＡＣ制御部５１６は、ＭＡＣ層の制御に基づく制御情報をＭＡＣスケジューリング部５１８へ出力する。【００４６】
パケット生成部５１７は、基地局装置１１０の上位層から出力されたユーザデータを含むパケットを生成する。そして、パケット生成部５１７は、生成したパケットをＭＡＣスケジューリング部５１８へ出力する。【００４７】
ＭＡＣスケジューリング部５１８は、ＭＡＣ制御部５１６から出力された制御情報に基づいて、パケット生成部５１７から出力されたパケットのＭＡＣ層のスケジューリングを行う。そして、ＭＡＣスケジューリング部５１８は、スケジューリングの結果に基づいてパケットをライセンスドバンド送信部５１９およびアンライセンスドバンド送信部５２５へ出力する。例えば、ＭＡＣスケジューリング部５１８は、サブフレーム単位でデータ信号の送信が行われるように、スケジューリングを行う。すなわち、ＭＡＣスケジューリング部は、ＬＣで送信されるデータ信号の長さがサブフレーム期間と一致するように、パケットのスケジューリングを行う。【００４８】
ライセンスドバンド送信部５１９は、ライセンスドバンドの送信処理を行う。例えば、ライセンスドバンド送信部５１９は、符号化部５２０と、変調部５２１と、多重部５２２と、ＩＦＦＴ（Inverse  Fast  Fourier  Transform：逆高速フーリエ変換）処理部５２３と、無線処理部５２４と、を有する。【００４９】
符号化部５２０は、ＭＡＣスケジューリング部５１８から出力されたパケットを符号化する。そして、符号化部５２０は、符号化したパケットを変調部５２１へ出力する。変調部５２１は、符号化部５２０から出力されたパケットに基づく変調を行う。そして、変調部５２１は、変調により得られた信号を多重部５２２へ出力する。【００５０】
多重部５２２は、ＭＡＣ制御部５１６から出力された個別制御情報やＲＴＳ信号と、変調部５２１から出力された信号と、を多重化する。そして、多重部５２２は、多重化により得られた信号をＩＦＦＴ処理部５２３へ出力する。【００５１】
ＩＦＦＴ処理部５２３は、多重部５２２から出力された信号のＩＦＦＴ処理を行う。これにより、信号が周波数領域から時間領域に変換される。ＩＦＦＴ処理部５２３は、ＩＦＦＴ処理を行った信号を無線処理部５２４へ出力する。【００５２】
無線処理部５２４は、ＩＦＦＴ処理部５２３から出力された信号の無線処理を行う。無線処理部５２４の無線処理には、例えばベースバンド帯から高周波帯への周波数変換が含まれる。無線処理部５２４は、無線処理を行った信号をアンテナ５３１へ出力する。【００５３】
アンライセンスドバンド送信部５２５は、アンライセンスドバンドの送信処理を行う。例えば、アンライセンスドバンド送信部５２５は、符号化部５２６と、変調部５２７と、多重部５２８と、ＩＦＦＴ処理部５２９と、無線処理部５３０と、を有する。【００５４】
符号化部５２６は、ＭＡＣスケジューリング部５１８から出力されたパケットを符号化する。そして、符号化部５２６は、符号化したパケットを変調部５２７へ出力する。変調部５２７は、符号化部５２６から出力されたパケットに基づく変調を行う。そして、変調部５２７は、変調により得られた信号を多重部５２８へ出力する。【００５５】
多重部５２８は、ＭＡＣ制御部５１６から出力された個別制御情報やＲＴＳ信号と、変調部５２７から出力された信号と、を多重化する。そして、多重部５２８は、多重化により得られた信号をＩＦＦＴ処理部５２９へ出力する。【００５６】
ＩＦＦＴ処理部５２９は、多重部５２８から出力された信号のＩＦＦＴ処理を行う。これにより、信号が周波数領域から時間領域に変換される。ＩＦＦＴ処理部５２９は、ＩＦＦＴ処理を行った信号を無線処理部５３０へ出力する。【００５７】
無線処理部５３０は、ＩＦＦＴ処理部５２９から出力された信号の無線処理を行う。無線処理部５３０の無線処理には、例えばベースバンド帯から高周波帯への周波数変換が含まれる。無線処理部５３０は、無線処理を行った信号をアンテナ５３２へ出力する。【００５８】
アンテナ５３１は、無線処理部５２４から出力された信号を他の無線通信装置へ無線送信する。アンテナ５３２は、無線処理部５３０から出力された信号を他の無線通信装置へ無線送信する。【００５９】
ここで、ＭＡＣ制御部５１６は、以下の処理を実行する。まず、ＭＡＣ制御部５１６は、送信対象となるデータが存在し、かつ、キャリアセンス部５１５からＵＣの空きチャネルを検出した旨のキャリアセンス結果情報を取得した場合は、ＤＩＦＳとＢａｃｋｏｆｆ期間とが経過するまで待機する。また、ＭＡＣ制御部５１６は、ＤＩＦＳとＢａｃｋｏｆｆ期間とが経過した後で、キャリアセンス部５１５からＵＣの空きチャネルを検出した旨のキャリアセンス結果情報を取得した場合は、ＵＣでデータ信号の送信を開始する。【００６０】
具体的には、ＭＡＣ制御部５１６は、アンライセンスドバンド送信部５２５にパケットを出力するようＭＡＣスケジューリング部５１８に指示する。かかる場合、ＭＡＣスケジューリング部５１８は、ＵＣを介して送信するパケットをアンライセンスドバンド送信部５２５に出力する。この結果、基地局装置１１０は、ＵＣの空きチャネルを検出次第、ＵＣでデータ信号の送信を開始する。【００６１】
また、ＭＡＣ制御部５１６は、ＵＣでデータ信号の送信を開始したタイミングを示すタイミング情報を生成し、ＤＬアサインメントとともに多重部５２２に出力する。かかる場合、ライセンスドバンド送信部５１９は、サブフレームタイミングと同期して、ＤＬアサインメントとタイミング情報とをＬＣで出力する。【００６２】
このように、基地局装置１１０は、ＵＣが空き次第、サブフレーム期間の途中でもデータ送信を開始し、データ送信を開始したタイミングを示すタイミング情報をＬＣで送信する。このため、基地局装置１１０は、スループットを改善することができる。【００６３】
なお、タイミング情報には、データ信号を復号するために十分な情報が含まれていればよい。例えば、タイミング情報には、データ信号の送信を開始した時刻が含まれていてもよく、また、データ信号の送信を開始したシンボルの番号が含まれていてもよい。例えば、基地局装置１１０は、シンボルの番号でデータ信号の送信を開始したタイミングを示した場合は、タイミング情報のデータ量を削減し、通信リソースを有効に用いることができる。【００６４】
しかしながら、ＵＣのあるチャネルを他の基地局装置やアクセスポイント１２０が使用していた場合、かかるチャネルが解放されるタイミングは、基地局装置１１０のシンボルとは一般的に同期しない。このため、シンボルの番号をタイミング情報とすると、ＵＣの空きを検出したタイミングがシンボルの途中である場合、シンボルのどの位置からデータ信号が送信されたかが不明であるため、データ信号の復号処理が困難となる。【００６５】
そこで、ＭＡＣ制御部５１６は、シンボルの番号をタイミング情報とする場合、以下の処理を実行する。まず、ＭＡＣ制御部５１６は、キャリアセンス部５１５がＵＣの空きチャネルを検出したタイミングがシンボルの途中である場合は、次のシンボル期間が始まるまでの間、ダミー信号を多重部５２８に出力する。この結果、アンライセンスドバンド送信部５２５は、ＵＣの空きチャネルが検出されてから次のシンボル期間が開始するまでの間、ダミー信号をＵＣで出力するので、他の基地局装置に対し、空きチャネルの予約を行うことができる。【００６６】
一方、ＭＡＣ制御部５１６は、キャリアセンス部５１５がＵＣの空きチャネルを検出したシンボル期間の次のシンボル期間からデータ信号を出力するようＭＡＣスケジューリング部５１８に指示する。この結果、ＭＡＣスケジューリング部５１８は、ＵＣの空きチャネルを検出したシンボル期間の次のシンボル期間の先頭から、サブフレーム長のデータ信号がＵＣで出力されるように、パケットのスケジューリングを行う。【００６７】
また、ＭＡＣ制御部５１６は、キャリアセンス部５１５がＵＣの空きチャネルを検出したシンボル期間の次のシンボル期間の番号を特定し、特定したシンボル期間の番号を示すタイミング情報を生成する。そして、ＭＡＣ制御部５１６は、キャリアセンス部５１５がＵＣの空きチャネルを検出したサブフレーム期間の次のサブフレーム期間で送信されるＤＬアサインメントとともに、生成したタイミング情報を多重部５２２に出力する。この結果、ライセンスドバンド送信部５１９は、ＤＬアサインメントとタイミング情報とを、キャリアセンス部５１５がＵＣの空きチャネルを検出したサブフレーム期間の次のサブフレーム期間で送信する。【００６８】
［端末装置の構成例］
次に、図３を用いて、端末装置１０１の一例を説明する。図３は、実施例１にかかる端末装置の機能構成の一例を示す図である。実施例１にかかる端末装置１０１は、例えば図３に示す端末装置１０１により実現することができる。【００６９】
図３に示す端末装置１０１は、アンテナ６００と、ライセンスドバンド受信部６０１と、アンライセンスドバンド受信部６０７と、バッファ６１３と、復号部６１４と、ＲＴＳ信号検出部６１５と、ＲＲＣ処理部６１６と、キャリアセンス部６１７と、を有する。また、端末装置１０１は、ＭＡＣ処理部６１８と、パケット生成部６１９と、符号化・変調部６２０と、ライセンスドバンド送信部６２１と、アンライセンスドバンド送信部６２７と、を有する。【００７０】
アンテナ６００は、他の無線通信装置から無線送信された信号を受信する。そして、アンテナ６００は、受信した信号をライセンスドバンド受信部６０１およびアンライセンスドバンド受信部６０７へ出力する。また、アンテナ６００は、ライセンスドバンド送信部６２１およびアンライセンスドバンド送信部６２７から出力された各信号を他の無線通信装置へ無線送信する。なお、端末装置１０１は、ライセンスバンド受信部６０１、アンライセンスドバンド受信部６０７、ライセンスドバンド送信部６２１、アンライセンスドバンド送信部６２７ごとに個別のアンテナを有していてもよい。【００７１】
ライセンスドバンド受信部６０１は、ライセンスドバンドの受信処理を行う。例えば、ライセンスドバンド受信部６０１は、無線処理部６０２と、ＦＦＴ処理部６０３と、等化処理部６０４と、ＩＦＦＴ処理部６０５と、復調部６０６と、を有する。【００７２】
無線処理部６０２は、アンテナ６００から出力された信号の無線処理を行う。無線処理部６０２の無線処理には、例えば高周波帯からベースバンド帯への周波数変換が含まれる。無線処理部６０２は、無線処理を行った信号をＦＦＴ処理部６０３へ出力する。【００７３】
ＦＦＴ処理部６０３は、無線処理部６０２から出力された信号のＦＦＴ処理を行う。これにより、信号が時間領域から周波数領域に変換される。ＦＦＴ処理部６０３は、ＦＦＴ処理を行った信号を等化処理部６０４へ出力する。等化処理部６０４は、ＦＦＴ処理部６０３から出力された信号の等化処理を行う。そして、等化処理部６０４は、等化処理を行った信号をＩＦＦＴ処理部６０５へ出力する。【００７４】
ＩＦＦＴ処理部６０５は、等化処理部６０４から出力された信号のＩＦＦＴ処理を行う。これにより、信号が周波数領域から時間領域に変換される。ＩＦＦＴ処理部６０５は、ＩＦＦＴ処理を行った信号を復調部６０６へ出力する。復調部６０６は、ＩＦＦＴ処理部６０５から出力された信号を復調する。そして、復調部６０６は、復調により得られた信号を復号部６１４へ出力する。【００７５】
なお、ライセンスドバンド受信部６０１は、端末装置１０１が通信を行う基地局装置のサブフレームタイミングと同期して、データ信号の復調を行う。例えば、ライセンスドバンド受信部６０１は、基地局装置１１０のサブフレームタイミングから受信したデータ信号を復調することで、タイミング情報やＤＬアサインメント等を受信する。【００７６】
アンライセンスドバンド受信部６０７は、アンライセンスドバンドの受信処理を行う。例えば、アンライセンスドバンド受信部６０７は、無線処理部６０８と、ＦＦＴ処理部６０９と、等化処理部６１０と、ＩＦＦＴ処理部６１１と、復調部６１２と、を有する。【００７７】
無線処理部６０８は、アンテナ６００から出力された信号の無線処理を行う。無線処理部６０８の無線処理には、例えば高周波帯からベースバンド帯への周波数変換が含まれる。無線処理部６０８は、無線処理を行った信号をＦＦＴ処理部６０９およびキャリアセンス部６１７へ出力する。【００７８】
ＦＦＴ処理部６０９は、データ信号のＦＦＴ処理を行う。これにより、信号が時間領域から周波数領域に変換される。そして、ＦＦＴ処理部６０９は、ＦＦＴ処理を行った信号を等化処理部６１０へ出力する。等化処理部６１０は、ＦＦＴ処理部６０９から出力された信号の等化処理を行う。そして、等化処理部６１０は、等化処理を行った信号をＩＦＦＴ処理部６１１へ出力する。【００７９】
ＩＦＦＴ処理部６１１は、等化処理部６１０から出力された信号のＩＦＦＴ処理を行う。これにより、信号が周波数領域から時間領域に変換される。ＩＦＦＴ処理部６１１は、ＩＦＦＴ処理を行った信号を復調部６１２へ出力する。復調部６１２は、ＩＦＦＴ処理部６１１から出力された信号を復調する。そして、復調部６１２は、復調により得られた信号をバッファ６１３へ出力する。【００８０】
バッファ６１３は、ＵＣのデータ信号を一時的に保持するバッファである。例えば、バッファ６１３は、少なくとも１サブフレームの間受信したデータ信号を保持することができるバッファであり、ＦＩＦＯ（First  In  First  Out）形式で保持したデータ信号が書換えられるバッファである。【００８１】
復号部６１４は、ライセンスドバンド受信部６０１およびアンライセンスドバンド受信部６０７から出力された信号を復号する。そして、復号部６１４は、復号により得られたデータを出力する。復号部６１４から出力されたデータは、例えば端末装置１０１の上位層の処理部およびＲＴＳ信号検出部６１５へ入力される。復号部６１４から出力されたデータには、例えばユーザデータが含まれる。【００８２】
ここで、復号部６１４は、ＵＣで送信されたデータ信号を正確に復号するため、以下の処理を実行する。まず復号部６１４は、ライセンスドバンド受信部６０１が基地局装置１１０のサブフレームタイミングと同期して復調した信号から、ＤＬアサインメントとタイミング情報とを取得する。次に、復号部６１４は、取得したＤＬアサインメントに自装置宛てのデータが送信される旨の信号が含まれる場合は、取得したタイミング情報から、データ信号が出力されたタイミングを特定する。そして、復号部６１４は、バッファ６１３に格納された信号のうち特定したタイミング以降に受信された信号を特定し、特定した信号を読み出して復号する。【００８３】
なお、基地局装置１１０は、ＵＣでデータ信号の送信を開始したサブフレーム期間の次のサブフレーム期間でタイミング情報を送信する。このため、端末装置１０１は、最大で１サブフレーム期間分の信号を保持するバッファ６０９を有していればよい。しかしながら、実施例は、これに限定されるものではない。【００８４】
例えば、基地局装置１１０が、ＵＣでデータ信号の出力開始したサブフレーム期間から、最大でｎ個後のサブフレーム期間でタイミング情報を送信する場合、端末装置１０１は、最大でｎサブフレーム期間分の信号を保持するバッファ６０９を有していればよい。また、基地局装置１１０は、タイミング情報がどのサブフレーム期間のどのシンボル期間からデータ信号を出力したかを示す場合は、タイミング情報の送信順序を、データ信号の送信順序とは異なる順序で送信してもよい。【００８５】
ＲＴＳ信号検出部６１５は、復号部６１４から出力されたデータに含まれる、他の無線通信装置から送信されたＲＴＳ信号を検出する。そして、ＲＴＳ信号検出部６１５は、ＲＴＳ信号の検出結果を示す検出情報をＲＲＣ処理部６１６へ出力する。【００８６】
ＲＲＣ処理部６１６は、ＲＴＳ信号検出部６１５から出力されたＲＴＳ信号に基づくＲＲＣ層の処理を行う。そして、ＲＲＣ処理部６１６は、ＲＲＣ層の処理結果をＭＡＣ処理部６１８へ出力する。【００８７】
キャリアセンス部６１７は、無線処理部６０８から出力された信号に基づくキャリアセンスを行う。そして、キャリアセンス部６１７は、キャリアセンスの結果を示すキャリアセンス結果情報をＭＡＣ処理部６１８へ出力する。【００８８】
ＭＡＣ処理部６１８は、ＲＲＣ処理部６１６から出力された処理結果と、キャリアセンス部６１７から出力されたキャリアセンス結果情報と、に基づくＭＡＣ層の処理を行う。そして、ＭＡＣ処理部６１８は、ＭＡＣ層の処理に基づく端末装置１０１へのＤＭＲＳ、ダミー信号、ＲＴＳ信号などを多重部６２２，６２８へ出力する。【００８９】
また、ＭＡＣ処理部６１８は、ＭＡＣ層の処理に基づく無線リソース割り当て情報を周波数マッピング部６２４，６３０へ出力する。また、ＭＡＣ処理部６１８は、ＲＲＣ処理部６１６のＲＲＣ層の処理に基づく無線リソース割り当て情報を符号化・変調部６２０へ出力する。また、ＭＡＣ処理部６１８は、キャリアセンス部６１７から出力されたキャリアセンス結果情報に基づいて、端末装置１０１が通信を行う無線リソースの空きを確認する。【００９０】
パケット生成部６１９は、端末装置１０１の上位層から出力されたユーザデータを含むパケットを生成する。そして、パケット生成部６１９は、生成したパケットを符号化・変調部６２０へ出力する。【００９１】
符号化・変調部６２０は、パケット生成部６１９から出力されたパケットの符号化および変調を行う。そして、符号化・変調部６２０は、符号化および変調により得られた信号を、ＭＡＣ処理部６１８から出力された無線リソース割り当て情報に基づいて、ライセンスドバンド送信部６２１またはアンライセンスドバンド送信部６２７へ出力する。【００９２】
ライセンスドバンド送信部６２１は、ライセンスドバンドの送信処理を行う。例えば、ライセンスドバンド送信部６２１は、多重部６２２と、ＦＦＴ処理部６２３と、周波数マッピング部６２４と、ＩＦＦＴ処理部６２５と、無線処理部６２６と、を有する。多重部６２２は、ＭＡＣ処理部６１８から出力された各信号と、符号化・変調部６２０から出力された信号と、を多重化する。そして、多重部６２２は、多重化により得られた信号をＦＦＴ処理部６２３へ出力する。【００９３】
ＦＦＴ処理部６２３は、多重部６２２から出力された信号のＦＦＴ処理を行う。これにより、信号が時間領域から周波数領域に変換される。ＦＦＴ処理部６２３は、ＦＦＴ処理を行った信号を周波数マッピング部６２４へ出力する。周波数マッピング部６２４は、ＭＡＣ処理部６１８から出力された無線リソース割り当て情報に基づいて、ＦＦＴ処理部６２３から出力された信号の周波数マッピングを行う。そして、周波数マッピング部６２４は、周波数マッピングを行った信号をＩＦＦＴ処理部６２５へ出力する。【００９４】
ＩＦＦＴ処理部６２５は、周波数マッピング部６２４から出力された信号のＩＦＦＴ処理を行う。これにより、信号が周波数領域から時間領域に変換される。ＩＦＦＴ処理部６２５は、ＩＦＦＴ処理を行った信号を無線処理部６２６へ出力する。無線処理部６２６は、ＩＦＦＴ処理部６２５から出力された信号の無線処理を行う。無線処理部６２６の無線処理には、例えばベースバンド帯から高周波帯への周波数変換が含まれる。無線処理部６２６は、無線処理を行った信号をアンテナ６００へ出力する。【００９５】
アンライセンスドバンド送信部６２７は、アンライセンスドバンドの送信処理を行う。例えば、アンライセンスドバンド送信部６２７は、多重部６２８と、ＦＦＴ処理部６２９と、周波数マッピング部６３０と、ＩＦＦＴ処理部６３１と、無線処理部６３２と、を有する。多重部６２８は、ＭＡＣ処理部６１８から出力された各信号と、符号化・変調部６２０から出力された信号と、を多重化する。そして、多重部６２８は、多重化により得られた信号をＦＦＴ処理部６２９へ出力する。【００９６】
ＦＦＴ処理部６２９は、多重部６２８から出力された信号のＦＦＴ処理を行う。これにより、信号が時間領域から周波数領域に変換される。ＦＦＴ処理部６２９は、ＦＦＴ処理を行った信号を周波数マッピング部６３０へ出力する。周波数マッピング部６３０は、ＭＡＣ処理部６１８から出力された無線リソース割り当て情報に基づいて、ＦＦＴ処理部６２９から出力された信号の周波数マッピングを行う。そして、周波数マッピング部６３０は、周波数マッピングを行った信号をＩＦＦＴ処理部６３１へ出力する。【００９７】
ＩＦＦＴ処理部６３１は、周波数マッピング部６３０から出力された信号のＩＦＦＴ処理を行う。これにより、信号が周波数領域から時間領域に変換される。ＩＦＦＴ処理部６３１は、ＩＦＦＴ処理を行った信号を無線処理部６３２へ出力する。無線処理部６３２は、ＩＦＦＴ処理部６３１から出力された信号の無線処理を行う。無線処理部６３２の無線処理には、例えばベースバンド帯から高周波帯への周波数変換が含まれる。無線処理部６３２は、無線処理を行った信号をアンテナ６００へ出力する。【００９８】
なお、図６に示す例では、無線送信と無線受信に同一のアンテナ６００を用いる場合について説明したが、無線送信用のアンテナと無線受信用のアンテナを端末装置１０１に設けてもよい。【００９９】
［無線通信システムの動作例］
次に、図４を用いて、基地局装置１１０がＵＣでデータ信号を送信する動作の一例について説明する。図４は、実施例１に係る基地局装置がＵＣでデータ信号を送信する動作の一例を示す図である。なお、図４において、横軸はサブフレーム単位の時間（ｔ）を示している。また、図４においては、基地局装置１１０がＬＣで出力するデータと、基地局装置１１０がＵＣで出力するデータとを示した。【０１００】
図４に示す例では、サブフレーム期間ｔ１からサブフレーム期間ｔ２の途中にかけて、アクセスポイント１２０や他の基地局装置等、他のＬＴＥシステムによりＵＣでデータ通信が行われた結果、ＵＣがビジー状態１４０１（Ｂｕｓｙ）であったとする。かかる場合、基地局装置１１０は、例えばサブフレーム期間ｔ１においてＤＬデータが発生した場合に、キャリアセンスを行い、ＵＣの空きチャネルを確認する。しかしながら、サブフレーム期間ｔ１からサブフレーム期間ｔ２の途中にかけてＵＣがビジー状態１４０１であるため、基地局装置１１０は、ＵＣの空きを待つ。【０１０１】
ここで、サブフレーム期間ｔ２の途中でＵＣのビジー状態１４０１が終了する。かかる場合、基地局装置１１０は、ビジー状態１４０１の終了からＤＩＦＳ時間１４０２経過後、バックオフ時間１４０３の間に新たなビジー状態を検出しなかった場合は、サブフレーム期間と同じ長さのデータ信号１４０４（Ｄａｔａ）の送信を開始する。【０１０２】
また、基地局装置１１０は、データ信号１４０４の送信を開始したタイミングを示すタイミング情報を生成する。そして、基地局装置１１０は、データ信号１４０４の送信を開始したサブフレーム期間ｔ２の次のサブフレーム期間ｔ３で、ＤＬアサインメント１４０５Ａとタイミング情報１４０５ＢとをＬＣで送信する。かかる場合、例えば、端末装置１０１は、サブフレーム期間ｔ３で受信したＤＬアサインメント１４０５Ａとタイミング情報１４０５Ｂとを用いて、データ信号１４０４の復号を行う。【０１０３】
また、基地局装置１１０は、続けて送信するデータが存在する場合は、かかるデータを格納したデータ信号１４０６を生成し、サブフレーム期間ｔ３においてデータ信号１４０４の送信終了後からデータ信号１４０６の送信を開始する。また、基地局装置１１０は、データ信号１４０６を送信したタイミングを示すタイミング情報を生成する。そして、基地局装置１１０は、サブフレーム期間ｔ４の先頭において、ＤＬアサインメント１４０７Ａとデータ信号１４０６を送信したタイミングを示すタイミング情報１４０７ＢとをＬＣで送信する。かかる場合、例えば、端末装置１０１は、サブフレーム期間ｔ４で受信したＤＬアサインメント１４０７Ａとタイミング情報１４０７Ｂとを用いて、データ信号１４０６の復号を行う。【０１０４】
このように、基地局装置１１０は、ＵＣの空きチャネルを検出したタイミングがサブフレーム期間の途中であっても、ＵＣでデータ通信を開始できる。また、端末装置１０１は、基地局装置１１０がサブフレーム期間の途中からＵＣでデータ通信を開始しても、サブフレームタイミングと同期して送信されるタイミング情報から、ＵＣでデータ信号が送信されたタイミングを特定できる。このため、無線通信システム１００は、隙間時間を無駄にすることが無いので、データ通信のスループットを向上させることができる。【０１０５】
なお、基地局装置１１０は、サブフレーム期間ｔ２以降、サブフレームタイミングとは同期させずに、データ信号の送信を行う。また、基地局装置１１０は、データ信号を継続して出力（バースト）した際、最後にデータ信号を送信したサブフレーム期間の途中からは、データ信号を送信しない。そして、基地局装置１１０は、バーストが終了したサブフレーム期間の次のサブフレーム期間のＤＬアサインメントに、最後に送信したデータ信号のタイミング情報を付加するか、前回のタイミング情報と同じタイミングである旨のフラグ情報を付加する。【０１０６】
次に、図５を用いて、基地局装置１１０がダミー信号を送信した後にデータ信号を送信する処理の一例について説明する。図５は、実施例１に係る基地局装置がダミー信号を出力する処理の一例を説明する図である。なお、図５に示す例では、図４と同様に、横軸をサブフレーム単位の時間（ｔ）とし、基地局装置１１０がＬＣで出力するデータと、基地局装置１１０がＵＣで出力するデータとを示した。【０１０７】
図５に示す例では、サブフレームｔ１からサブフレームｔ２の途中にかけて、他のＬＴＥシステムによりＵＣでデータ通信が行われた結果、ＵＣがビジー状態１４０１となり、サブフレームｔ２の途中でビジー状態１４０１が終了する。かかる場合、基地局装置１１０は、ビジー状態１４０１の終了からＤＩＦＳ時間１４０２経過後、バックオフ時間１４０３の間に新たなビジー状態を検出しなかった場合は、データ信号１４０４の送信タイミングがシンボル期間の先頭となるか否かを判定する。【０１０８】
ここで、図５に示す例では、シンボル期間１４０８の途中でバックオフ時間１４０３が終了している。ここで、端末装置１１０がシンボル期間の番号をタイミング情報とする場合、シンボル期間１４０８の途中からデータ信号１４０４の送信を開始すると、端末装置１０１がデータを復号する処理のリソースが増大してしまう。一方、基地局装置１１０は、シンボル期間１４０８の終了まで待機した場合には、ＵＣの空きチャネルが他の基地局装置等により使用され、ビジー状態となり、シンボル期間１４０８の次シンボル期間で使用できなくなる恐れがある。【０１０９】
そこで、基地局装置１１０は、バックオフ時間１４０３の終了後、シンボル期間１４０８が終了するまでの間、ダミー信号１４０９を出力することで、ＵＣの空きチャネルを確保する。そして、基地局装置１１０は、シンボル期間１４０８の終了と同時に、ダミー信号１４０９の出力を終了し、シンボル期間１４０８の次のシンボル期間からデータ信号１４０４の送信を開始する。【０１１０】
このように、基地局装置１１０は、シンボル期間の途中でＵＣの空きチャネルを検出すると、かかるシンボル期間が終了するまでの間ダミー信号を送信し、次のシンボル期間からデータ信号を送信する。このため、基地局装置１１０は、通信リソースを有効に利用できる。【０１１１】
［無線通信システムが実行する処理の流れ］
次に、図６を用いて、無線通信システム１００が実行する処理の流れの一例を説明する。図６は、実施例１に係る無線通信システムが実行する処理の流れの一例を説明するフローチャートである。なお、図６に示す例では、基地局装置１１０が実行する処理の流れと、端末装置１０１が実行する処理の流れとを示した。【０１１２】
まず、基地局装置１１０は、キャリアセンスを実行し、ＵＣに空きがあるか否かを判定する（ステップＳ１０１）。そして、基地局装置１１０は、ＵＣに空きがない場合は（ステップＳ１０１：Ｎｏ）、再度ステップＳ１０１を実行する。【０１１３】
また、基地局装置１１０は、ＵＣに空きがある場合は（ステップＳ１０１：Ｙｅｓ）、所定の時間（DIFS+バックオフ時間）の空き状態を確認し（ステップＳ１０２）、バックオフ時間終了時刻がシンボル期間の途中であるか否かを判定する（ステップＳ１０３）。そして、基地局装置１１０は、シンボル期間の途中である場合は（ステップＳ１０３：Ｙｅｓ）、シンボル期間が終了するまでダミー信号を出力する（ステップＳ１０４）。一方、基地局装置１１０は、シンボル期間の途中ではない場合は（ステップＳ１０３：Ｎｏ）、ステップＳ１０４をスキップする。【０１１４】
続いて、基地局装置１１０は、空き状態を検出したＵＣでデータの送信を開始する（ステップＳ１０５）。続いて、基地局装置１１０は、サブフレームタイミングであるか否かを判定し（ステップＳ１０６）、サブフレームタイミングである場合は（ステップＳ１０６：Ｙｅｓ）、以下の処理を実行する。すなわち、基地局装置１１０は、データ信号の送信を開始したタイミングを示すタイミング情報をＤＬアサインメントとともにＬＣで送信する（ステップＳ１０７）。【０１１５】
続いて、基地局装置１１０は、データを全て送信したか否かを判定し（ステップＳ１０８）、送信した場合は（ステップＳ１０８：Ｙｅｓ）、処理を終了する。一方、基地局装置１１０は、データを全て送信していない場合は（ステップＳ１０８：Ｎｏ）、ステップＳ１０５を実行する。また、基地局装置１１０は、サブフレームタイミングではない場合は（ステップＳ１０６：Ｎｏ）、ステップＳ１０５を実行する。【０１１６】
一方、端末装置１０１は、ステップＳ１０５にて基地局装置１１０が送信したデータ信号をバッファに格納する（ステップＳ１０９）。そして、端末装置１１０は、ステップＳ１０７にて基地局装置１１０が送信したタイミング情報から、データ信号の送信開始タイミングを読出す（ステップＳ１１０）。その後、端末装置１０１は、読み出した送信開始タイミングに従って、バッファからデータ信号を読出して復号し（ステップＳ１１１）、処理を終了する。【０１１７】
なお、図６に示す例では、データ信号の送信を開始したシンボルを示すタイミング情報を送信する例について記載したが、実施例は、これに限定されるものではない。例えば、基地局装置１１０は、データ信号の送信開始タイミングをシンボル期間の先頭に揃える必要がない場合は、以下の処理を行えばよい。すなわち、基地局装置１１０は、ＵＣに空きがあると検出した場合（ステップＳ１０１：Ｙｅｓ）、ステップＳ１０２を実行し、ステップＳ１０３、Ｓ１０４の処理を実行せず、ステップＳ１０５を実行すればよい。【０１１８】
［実施例１の効果］
上述したように、ＬＣとＵＣとを用いて無線通信を行う無線通信システム１００は、基地局装置１１０と端末装置１０１とを有する。基地局装置１１０は、ＵＣの空きを検出した場合は、ＵＣでデータ信号の送信を開始し、データ信号の送信を開始したタイミングを示すタイミング情報を、ＤＬアサインメントとともにＬＣで送信する。一方、端末装置１０１は、ＵＣで送信されたデータ信号をバッファに保持し、ＬＣで送信されたＤＬアサインメントとタイミング情報とを用いて、バッファに保持したデータ信号からデータを復号する。このため、無線通信システム１００は、隙間時間の間もデータ通信を行うことができるので、スループットを改善できる。【０１１９】
また、上述した処理を実行する無線通信システム１００においては、基地局装置１１０側で複雑な機能構成を付加せずとも、データ信号を送信したタイミング情報をＬＣで送信する機能を付加すればよい。また、端末装置１０１は、バッファを備え、タイミング情報に従ってバッファに保持されたデータ信号を復号すればよい。このため、無線通信システム１００は、容易な構成でスループットを改善することができる。【０１２０】
また、基地局装置１１０は、ＵＣでデータ信号の送信を開始したサブフレーム期間の次のサブフレーム期間で、ＤＬアサインメントとタイミング情報とを送信する。このため、基地局装置１１０は、端末装置１０１が要するバッファの容量を削減し、回路規模の縮小を図ることができる。【０１２１】
また、基地局装置１１０は、シンボル期間の途中でＵＣの空きを検出した場合は、次のシンボル期間が始まるまでダミー信号を送信する。このため、基地局装置１１０は、タイミング情報を簡素化できるので、通信リソースを有効に用いることができる。
【実施例２】
【０１２２】
［実施例２に係る無線通信システムの動作例］
上記実施例１の基地局装置１１０は、ＵＣの空きを検出した場合に、サブフレーム期間の途中であってもデータ信号を送出した。ここで、基地局装置１１０は、ＵＣが複数のサブバンドを有し、各サブバンドを他のＬＴＥシステムと共有する場合は、サブバンドごとに上述した処理を実行してもよい。そこで、係る場合の形態につき、実施例２として以下に説明する。【０１２３】
なお、以下の実施例２にかかる基地局装置１１０および端末装置１０１は、図２に示す機能構成と同一の機能構成により実現されるものとし、説明を省略する。また、以下に説明する処理については、例えば、図２に示すキャリアセンス部５１５、ＭＡＣ制御部５１６が実行する処理により実現されるものとする。【０１２４】
次に、図７を用いて、基地局装置１１０から端末装置１０１にデータを送信する下りリンク送信の一例を説明する。図７は、実施例２に係る無線通信システムが実行する下りリンク送信の一例を示す図である。なお、図７に示す例では、図４と同様に、横軸をサブフレーム単位の時間（ｔ）とし、基地局装置１１０がＬＣで出力するデータと、基地局装置１１０がＵＣで出力するデータとを示した。【０１２５】
また、図７に示す例では、ＵＣのサブバンドＳＢ１〜ＳＢ４のうちのサブバンドＳＢ１、ＳＢ３を用いてＤＬ送信を行う場合について説明する。また、基地局装置１１０は、他のＬＴＥシステムとＵＣを共用するものとする。また、図７に示す例では、他のＬＴＥシステムは、基地局装置１１０のサブフレームタイミングと同期して無線通信を行うものとする。【０１２６】
例えば、図７に示す例では、サブバンドＳＢ１は、サブフレーム期間ｔ１において他のＬＴＥシステムによりビジー状態１５１１である。サブバンドＳＢ２は、サブフレーム期間ｔ１〜ｔ４において他のＬＴＥシステムによりビジー状態１５１２である。サブバンドＳＢ３は、サブフレーム期間ｔ１において他のＬＴＥシステムによりビジー状態１５１３であるとする。サブバンドＳＢ４は、サブフレーム期間ｔ１，ｔ２において他のＬＴＥシステムによりビジー状態１５１４であるとする。【０１２７】
かかる場合、基地局装置１１０は、例えばサブフレーム期間ｔ１においてＤＬデータが発生した場合に、サブバンドごとにキャリアセンスを実行する。具体例を説明すると、図２に示したキャリアセンス部５１５が、各サブバンドのキャリアセンスを行う。なお、基地局装置１１０は、サブバンドごとにキャリアセンスを行う複数のキャリアセンス部５１５を有してもよい。【０１２８】
ここで、サブバンドＳＢ１、ＳＢ３のビジー状態１５１１、１５１３は、サブフレーム期間ｔ１で終了する。このため、基地局装置１１０は、サブフレーム期間ｔ２の先頭からＤＩＦＳ時間１５２１と、バックオフ時間１５３１との間に新たなビジー状態を検出しなかった場合は、バックオフ時間１５３１の経過後、すぐにデータ信号１５４１をサブバンドＳＢ１で出力する。また、基地局装置１１０は、サブフレーム期間ｔ２の先頭からＤＩＦＳ期間１５２１と、バックオフ時間１５３３との間に新たなビジー状態を検出しなかった場合は、バックオフ時間１５３３の経過後、すぐにデータ信号１５４３をサブバンドＳＢ３で出力する。【０１２９】
ここで、データ信号の送信を開始するタイミングは、同じサブフレーム期間に多重している複数の信号で同一の値となる。そこで、基地局装置１１０は、データ信号１５４１とデータ信号１５４３の送信を開始したタイミング信号１５４５ＢをＤＬアサインメント１５４５ＡとともにＬＣで送信する。かかる場合、端末装置１０１は、ＤＬアサインメント１５４５Ａおよびタイミング情報１５４５Ｂを用いて、自装置宛てのデータ信号の復号を行う。【０１３０】
例えば、端末装置１０１は、サブフレーム期間ｔ２からサブフレーム期間ｔ３にかけて、多重化されたデータ信号を受信し、バッファに保持する。また、端末装置１０１は、サブフレーム期間ｔ３で送信さるＤＬアサインメント１５４５から、自装置宛てのデータが送信されたサブバンドを特定する。ここで、端末装置１０１は、自装置宛てのデータが送信されたサブバンドがＳＢ０１である場合、バッファに保持された信号からサブバンドＳＢ０１で送信されたデータ信号１５４１を取り出す。そして、端末装置１０１は、タイミング情報１５４５Ｂを用いて、データ信号１５４１の復号を行う。
【実施例３】
【０１３１】
［実施例３に係る無線通信システムの動作例］
上記実施例１の基地局装置１１０は、サブフレーム期間の途中から継続してデータ信号を送信する場合、各サブフレーム期間内でデータ信号の送信を開始したタイミングを示すタイミング情報を送信し続ける。しかしながら、実施例は、これに限定されるものではない。例えば、基地局装置１１０は、いずれかのデータ信号を出力した後で、次のサブフレーム期間が始まるまでに送信が終了するデータ長のデータ信号を送信することで、データ信号の出力タイミングをサブフレームタイミングに同期させてもよい。そこで、係る場合の形態につき、実施例３として以下に説明する。【０１３２】
なお、以下の実施例３にかかる基地局装置１１０および端末装置１０１は、図２、図３に示す機能構成と同一の機能構成により実現されるものとし、説明を省略する。また、以下に説明する処理については、例えば、図２に示すＭＡＣ制御部５１６が実行する処理により実現されるものとする。【０１３３】
まず、図８を用いて、実施例３に係る基地局装置１１０の動作の一例について説明する。図８は、実施例３に係る基地局装置がＵＣでデータ信号を送信する動作の一例を示す図である。なお、図において、横軸はサブフレーム単位の時間（ｔ）を示している。また、図８に示す例では、図４と同様に、横軸をサブフレーム単位の時間（ｔ）とし、基地局装置１１０がＬＣで出力するデータと、基地局装置１１０がＵＣで出力するデータとを示した。【０１３４】
図８に示す例では、サブフレーム期間ｔ１からサブフレーム期間ｔ２の途中にかけて、他のＬＴＥシステムよりＵＣでデータ通信が行われた結果、ＵＣがビジー状態１４０１となり、サブフレーム期間ｔ２の途中でビジー状態１４０１が終了する。かかる場合、基地局装置１１０は、ビジー状態１４０１の終了からＤＩＦＳ時間１４０２経過後、バックオフ時間１４０３の間に新たなビジー状態を検出しなかった場合は、次のシンボル期間が開始するまでの間ダミー信号１４０９を送信する。そして、基地局装置１１０は、シンボル期間の終了と同時に、ダミー信号１４０９の出力を終了し、データ信号１４０４の送信を開始する。【０１３５】
また、基地局装置１１０は、データ信号１４０４の送信を開始したサブフレーム期間ｔ２の次のサブフレーム期間ｔ３で、ＤＬアサインメント１４０５Ａとデータ信号１４０４の送信を開始したタイミングを示すタイミング情報１４０５ＢとをＬＣで送信する。ここで、基地局装置１１０は、データ信号１４０５の送信をサブフレーム期間ｔ２の途中で開始した場合、継続して送信するデータ信号を各サブフレーム期間の途中で送信することとなる。この結果、基地局装置１１０は、データ信号を継続して送信する間、各サブフレーム期間で、ＤＬアサインメントとともに、タイミング情報を送信しなければならない。【０１３６】
そこで、基地局装置１１０は、データ信号を継続して出力する場合は、いずれかのデータ信号の出力が終了してから、次のサブフレーム期間が始まるまでの間に送信可能なデータ長のデータ信号を生成して出力する。例えば、基地局装置１１０は、データ信号１４０４の送信が終了した後で、サブフレーム期間ｔ４が開始するまでの間に送信可能なデータ長のデータ信号１４１０を生成し、データ信号１４０５の次に送信を開始する。また、基地局装置１１０は、サブフレーム期間ｔ４で、データ信号１４１０のタイミング情報１４１１ＢをＤＬアサインメント１４１１ＡとともにＬＣで送信する。【０１３７】
かかる場合、基地局装置１１０は、データ信号１４１０の送信をサブフレーム期間ｔ３の終了とともに終了させることができる。この結果、基地局装置１１０は、データ信号１４１０に続いて送信するデータ信号１４１３を、サブフレーム期間ｔ４の開始と同時に送信することができる。すなわち、基地局装置１１０は、データ信号１４１０をサブフレームタイミングと同期したタイミングで送信することができる。かかる場合、基地局装置１１０は、サブフレームタイミングｔ４以降、タイミング情報の生成および送信を省略する。この結果、基地局装置１１０は、演算資源および通信資源を削減することができる。【０１３８】
なお、基地局装置１１０は、データ信号１４１０に付随するＤＬアサインメント１４１１Ａおよびタイミング情報１４１１Ｂの送信後、データ信号１４１３に付随するＤＬアサインメント１４１２を、サブフレーム期間ｔ４で送信する。この結果、基地局装置１１０は、サブフレーム期間ｔ４以降、データ信号の送信と、ＤＬアサインメントの送信とを同じサブフレーム期間内で行うことができる。【０１３９】
また、基地局装置１１０は、任意のサブフレーム期間で上述した処理を実行して良い。例えば、基地局装置１１０は、データ信号をバースト送信する際、最初のデータ信号を送信した後で上述した処理を行ってもよく、所定の個数のデータ信号を送信した後や、最後のデータ信号の一つ前のデータ信号を送信する際に、上述した処理を行ってもよい。【０１４０】
［実施例３に係る無線通信システムが実行する処理の流れ］
次に、図９を用いて、実施例３に係る無線通信システム１００が実行する処理の流れの一例を説明する。図９は、実施例３に係る無線通信システムが実行する処理の流れの一例を説明するフローチャートである。なお、図９に示す例では、図６と同様に、基地局装置１１０が実行する処理の流れと、端末装置１０１が実行する処理の流れとを示した。また、図９に示す処理のうち、ステップＳ２０１〜ステップＳ２１１は、図６に示すステップＳ１０１〜ステップＳ１１１と同じ処理であるものとして、説明を省略する。【０１４１】
まず、基地局装置１１０は、全データを送信したか否かを判定し（ステップＳ２０８）、全データを送信していないと判定した場合は、次に送信するデータ信号の送信開始タイミングがサブフレームタイミングと一致するか否かを判定する（ステップＳ２１２）。そして、基地局装置１１０は、次に送信するデータ信号の送信開始タイミングがサブフレームタイミングと一致しない場合は（ステップＳ２１２：Ｎｏ）、以下の処理を実行する。【０１４２】
すなわち、基地局装置１１０は、送信中のデータ信号の後で次のサブフレームタイミングまでに送信可能なデータ長のデータ信号を生成し（ステップＳ２１３）、生成したデータ信号をＵＣで送信する（ステップＳ２０５）。一方、基地局装置１１０は、次に送信するデータ信号の送信開始タイミングがサブフレームタイミングと一致する場合は（ステップＳ２１２：Ｙｅｓ）、ステップＳ２０５を実行する。【０１４３】
［実施例３の効果］
上述したように、基地局装置１１０は、データ信号のバーストを行う際、いずれかのデータ信号を送信した後で、次のサブフレーム期間が開始するまでの間に送信が終了するデータ長のデータ信号を出力する。その後、基地局装置１１０は、残りのデータ信号を送信する。このため、基地局装置１１０は、データ信号の出力開始タイミングが、サブフレーム期間の途中であっても、いずれかのサブフレーム期間から、データ信号出力開始タイミングをサブフレームタイミングと同期させることができる。この結果、基地局装置１１０は、タイミング情報の生成および送信を省略できるので、演算資源および通信資源を削減することができる。【０１４４】
また、基地局装置１１０は、サブフレームタイミングでデータ信号を送信したタイミング情報の送信を省略するので、演算資源および通信資源を削減することができる。
【実施例４】
【０１４５】
これまで本発明の実施例について説明したが、実施例は、上述した実施例以外にも様々な異なる形態にて実施されてよいものである。そこで、以下では実施例４として本発明に含まれる他の実施例を説明する。【０１４６】
［データ信号の送信タイミングを揃える処理について］
上述した実施例４では、基地局装置１１０は、いずれかのデータ信号を送信した後で、次のサブフレーム期間が開始するまでの間に送信が終了するデータ長のデータ信号を出力することで、データ信号の送信タイミングをサブフレームタイミングに同期させた。しかしながら、実施形態は、これに限定されるものではない。例えば、基地局装置１１０は、データ信号のデータ長をサブフレーム長とは異なる長さにすることで、徐々にデータ信号の送信タイミングとサブフレームタイミングとのオフセット量を少なくし、最終的に同期させてもよい。【０１４７】
ここで、基地局装置１１０は、ＵＣの空きリソースを検出してから、次のサブフレームタイミングが検出されるまでの間に送信可能なデータ長のデータ信号を生成して送信し、その後、サブフレーム長のデータ信号を送信してもよい。しかしながら、ＵＣの空きが生じるタイミングが不明なので、基地局装置１１０は、ＵＣの空きリソースを検出したタイミングによっては、かかるデータ長のデータ信号の生成が間に合わない場合がある。【０１４８】
そこで、基地局装置１１０は、ＵＣの空きリソースを検出してから、次のサブフレームタイミングが検出されるまでの間に送信可能なデータ長のデータ信号の生成が間に合わない場合等は、以下の処理を実行してもよい。例えば、基地局装置１１０は、ＵＣの空きリソースを検出してから、次のサブフレームタイミングが検出されるまでの間、所定の制御信号やユーザデータを送信してもよい。【０１４９】
［機能構成について］
上述した処理のうち、自動的に行われるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、具体的名称、各種のデータやパラメータを含む情報については、特記する場合を除いて任意に変更することができる。【０１５０】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。【０１５１】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【０１５２】
［ハードウェア構成について］
上述した基地局装置１１０は、例えば、ＬＴＥのｅＮＢで実現することができる。以下、図１０を用いて、実施例１または実施例３に記載の基地局装置１１０を実現するｅＮＢのハードウェア構成の一例について説明する。【０１５３】
図１０は、ｅＮＢのハードウェア構成の一例を示す図である。基地局装置１１０は、例えば、図１０に示す無線通信装置５５０により実現することができる。無線通信装置５５０は、例えば、送受信アンテナ５５１と、アンプ５５２と、乗算部５５３と、アナログデジタル変換器５５４と、プロセッサ５５５と、メモリ５５６と、を有する。また、無線通信装置５５０は、デジタルアナログ変換器５５７と、乗算部５５８と、アンプ５５９と、発振器５６０と、を有する。また、無線通信装置５５０は、外部の通信装置との間で有線通信を行うインタフェースを備えていてもよい。【０１５４】
送受信アンテナ５５１は、自装置の周辺から無線送信された信号を受信し、受信した信号をアンプ５５２へ出力する。また、送受信アンテナ５５１は、アンプ５５９から出力された信号を自装置の周辺へ無線送信する。【０１５５】
アンプ５５２は、送受信アンテナ５５１から出力された信号を増幅する。そして、アンプ５５２は、増幅した信号を乗算部５５３へ出力する。乗算部５５３は、アンプ５５２から出力された信号を、発振器５６０から出力されたクロック信号と乗算することにより、高周波帯からベースバンド帯へ周波数変換する。そして、乗算部５５３は、周波数変換した信号をアナログデジタル変換器５５４へ出力する。【０１５６】
アナログデジタル変換器５５４（Ａ／Ｄ）は、乗算部５５３から出力された信号をアナログ信号からデジタル信号に変換するＡＤＣ（Ａｎａｌｏｇ／Ｄｉｇｉｔａｌ  Ｃｏｎｖｅｒｔｅｒ：アナログ／デジタル変換器）である。アナログデジタル変換器５５４は、デジタル信号に変換した信号をプロセッサ５５５へ出力する。【０１５７】
プロセッサ５５５は、無線通信装置５５０の全体の制御を司る。プロセッサ５５５は、例えばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などにより実現することができる。プロセッサ５５５は、アナログデジタル変換器５５４から出力された信号の受信処理を行う。また、プロセッサ５５５は、自装置が送信する信号を生成し、生成した信号をデジタルアナログ変換器５５７へ出力する送信処理を行う。【０１５８】
メモリ５５６には、例えばメインメモリおよび補助メモリが含まれる。メインメモリは、例えばＲＡＭ（Ｒａｎｄｏｍ  Ａｃｃｅｓｓ  Ｍｅｍｏｒｙ）である。メインメモリは、プロセッサ５５５のワークエリアとして使用される。補助メモリは、例えば磁気ディスクやフラッシュメモリなどの不揮発メモリである。補助メモリには、プロセッサ５５５を動作させる各種のプログラムが記憶されている。補助メモリに記憶されたプログラムは、メインメモリにロードされてプロセッサ５５５によって実行される。また、補助メモリには、例えば、あらかじめ定められた各種の閾値などが記憶される。【０１５９】
デジタルアナログ変換器５５７は、プロセッサ５５５から出力された信号をデジタル信号からアナログ信号に変換するＤＡＣ（Ｄｉｇｉｔａｌ／Ａｎａｌｏｇ  Ｃｏｎｖｅｒｔｅｒ：デジタル／アナログ変換器）である。デジタルアナログ変換器５５７は、アナログ信号に変換した信号を乗算部５５８へ出力する。【０１６０】
乗算部５５８は、デジタルアナログ変換器５５７から出力された信号を、発振器５６０から出力されたクロック信号と乗算することにより、ベースバンド帯から高周波帯へ周波数変換する。そして、乗算部５５８は、周波数変換した信号をアンプ５５９へ出力する。アンプ５５９はデジタルアナログ変換器５５７から出力された信号を増幅する。そして、アンプ５５９は、増幅した信号を送受信アンテナ５５１へ出力する。【０１６１】
発振器５６０は、所定周波数のクロック信号（連続波の交流信号）を発振する。そして、発振器５６０は、発振したクロック信号を乗算部５５３、５５８へ出力する。【０１６２】
図２に示したアンテナ５０１、５０２、５３１、５３２は、例えば送受信アンテナ５５１により実現することができる。図２に示した無線処理部５０４、５０９、５２４、５３０は、例えばアンプ５５２、乗算部５５３、アナログデジタル変換器５５４、デジタルアナログ変換器５５７、乗算部５５８、アンプ５５９および発振器５６０により実現することができる。図２に示したその他の構成は、例えばプロセッサ５５５およびメモリ５５６により実現することができる。【０１６３】
なお、端末装置１０１は、例えば、ＬＴＥのＵＥとして実現することができる。かかる端末装置１０１も基地局装置１１０と同様に、図１０に示した無線通信装置５５０により実現することができる。この場合に、無線通信装置５５０は、外部の通信装置との間で有線通信を行うインタフェースを備えていなくてもよい。
【符号の説明】
【０１６４】
１００  無線通信システム
１０１  端末装置
１１０  基地局装置
１１１  セル
５０１，５０２，５３１，５３２，６００  アンテナ
５０３，６０１  ライセンスドバンド受信部
５０４，５０９，５２４，５３０，６０２，６０８，６２６，６３２  無線処理部
５０５，５１０，６０３，６０９，６２３，６２９  ＦＦＴ処理部
５０６，５１１，６０６，６１２  復調部
５０７，５１２，６１４  復号部
５０８，６０７  アンライセンスドバンド受信部
５１３  ＭＡＣ・ＲＬＣ処理部
５１４  無線リソース制御部
５１５，６１７  キャリアセンス部
５１６  ＭＡＣ制御部
５１７，６１９  パケット生成部
５１８  ＭＡＣスケジューリング部
５１９，６２１  ライセンスドバンド送信部
５２０，５２６  符号化部
５２１，５２７  変調部
５２２，５２８，６２２，６２８  多重部
５２３，５２９，６０５，６１１，６２５，６３１  ＩＦＦＴ処理部
５２５，６２７  アンライセンスドバンド送信部
５５０  無線通信装置
５５１  送受信アンテナ
５５２，５５９  アンプ
５５３，５５８  乗算部
５５４  アナログデジタル変換器
５５５  プロセッサ
５５６  メモリ
５５７  デジタルアナログ変換器
５６０  発振器
６０４，６１０  等化処理部
６１３  バッファ
６１５  ＲＴＳ信号検出部
６１６  ＲＲＣ処理部
６１８  ＭＡＣ処理部
６２０  符号化・変調部
６２４，６３０  周波数マッピング部
【図１】
2016071979.tif 000003
【図２】
2016071979.tif 000004
【図３】
2016071979.tif 000005
【図４】
2016071979.tif 000006
【図５】
2016071979.tif 000007
【図６】
2016071979.tif 000008
【図７】
2016071979.tif 000009
【図８】
2016071979.tif 000010
【図９】
2016071979.tif 000011
【図１０】
2016071979.tif 000012
【国際調査報告】
2016071979.tif 000013
2016071979.tif 000014